(57)【要約】【課題】  案内経路の移動途中で移動手段を変更したり、目的地周辺の駐車場など中間目的地の探索をしたりするなど、経路探索の条件が変化しても、１回の目的地入力をすれば当初目的地までの経路を再探索できるようにする。【解決手段】  ナビゲーションシステム１０は、経路探索サーバ３０と携帯端末装置２０とを備え、携帯端末装置２０が経路探索条件として設定した第１の目的地を記憶する第１目的地記憶手段３９を備える。携帯端末装置２０が選択した移動手段に応じて第２の目的地の案内を提供し、携帯端末装置２０が第２の目的地への経路案内を要求した場合、当該第２の目的地への経路を探索して案内経路を提供し、案内経路を提供した後も、携帯端末装置２０が移動手段を変更するごとに、第１目的地記憶手段３９に記憶した第１の目的地に基づいて第１の目的地までの経路を探索する。【選択図】      図１
2010204115.tif 000002
【特許請求の範囲】
【請求項１】
経路探索サーバと携帯端末装置とを備えたナビゲーションシステムにおいて、
前記ナビゲーションシステムは、前記携帯端末装置が経路探索条件として設定した第１の目的地を記憶する第１目的地記憶手段と、
前記携帯端末装置が選択した移動手段に応じて第２の目的地の案内を提供する手段と、
前記携帯端末装置が前記第２の目的地への経路案内を要求した場合、当該第２の目的地への経路を探索して案内経路を提供する手段と、を備え、
前記案内経路を提供した後も、前記携帯端末装置が移動手段を変更するごとに、前記第１目的地記憶手段に記憶した第１の目的地に基づいて、当該第１の目的地までの経路を探索するようになしたことを特徴とするナビゲーションシステム。
【請求項２】
前記第１目的地記憶手段は、前記携帯端末装置ごとに記憶することを特徴とする請求項１に記載のナビゲーションシステム。
【請求項３】
前記携帯端末装置は、移動手段を異にする複数のナビゲーションアプリケーションを備え、前記移動手段の変更は前記ナビゲーションアプリケーションの切り替えによって行うことを特徴とする請求項１または請求項２に記載のナビゲーションシステム。
【請求項４】
前記複数のナビゲーションアプリケーションは、少なくとも歩行者用のナビゲーションを提供するナビゲーションアプリケーションと、自動車用のナビゲーションを提供するナビゲーションアプリケーションであることを特徴とする請求項３に記載のナビゲーションシステム。
【請求項５】
携帯端末装置とネットワークを介して接続される経路探索サーバにおいて、
前記経路探索サーバは、前記携帯端末装置が経路探索条件として設定した第１の目的地を記憶する第１目的地記憶手段と、
前記携帯端末装置が選択した移動手段に応じて第２の目的地の案内を提供する手段と、
前記携帯端末装置が前記第２の目的地への経路案内を要求した場合、当該第２の目的地への経路を探索して案内経路を提供する手段と、を備え、
前記案内経路を提供した後も、前記携帯端末装置が移動手段を変更するごとに、前記第１目的地記憶手段に記憶した第１の目的地に基づいて、当該第１の目的地までの経路を探索するようになしたことを特徴とする経路探索サーバ。
【請求項６】
前記第１目的地記憶手段は、前記携帯端末装置ごとに記憶することを特徴とする請求項５に記載の経路探索サーバ。
【請求項７】
携帯端末装置が経路探索条件として設定した第１の目的地を記憶する第１目的地記憶手段と、前記携帯端末装置が選択した移動手段に応じて第２の目的地の案内を提供する手段と、前記携帯端末装置が前記第２の目的地への経路案内を要求した場合、当該第２の目的地への経路を探索して案内経路を提供する手段と、を備え、前記案内経路を提供した後も、前記携帯端末装置が移動手段を変更するごとに、前記第１目的地記憶手段に記憶した第１の目的地に基づいて、当該第１の目的地までの経路を探索する経路探索サーバにネットワークを介して接続される携帯端末装置であって、
前記携帯端末装置は、移動手段を異にする複数のナビゲーションアプリケーションを備え、前記移動手段の変更は前記ナビゲーションアプリケーションの切り替えによって行うことを特徴とする携帯端末装置。
【請求項８】
前記複数のナビゲーションアプリケーションは、少なくとも歩行者用のナビゲーションを提供するナビゲーションアプリケーションと、自動車用のナビゲーションを提供するナビゲーションアプリケーションであることを特徴とする請求項７に記載の携帯端末装置。
【発明の詳細な説明】
【技術分野】
【０００１】
本発明は、移動手段と出発地から目的地などの経路探索条件に基づいて目的地までの最適経路を探索して案内するナビゲーションシステム、経路探索サーバおよび携帯端末装置に関するものであり、特に、案内経路の移動途中で移動手段を変更したり、目的地周辺の駐車場など中間目的地の探索をしたりするなど、経路探索の条件が変化しても、１回の目的地入力をすれば当初目的地までの経路を再探索できるようにしたナビゲーションシステム、経路探索サーバ、携帯端末装置に関するものである。
【背景技術】
【０００２】
従来から、地図データ、道路データを用いて、所望の出発地から目的地までの経路を探索して利用者を案内するナビゲーション装置、ナビゲーションシステムが知られている。
このようなナビゲーション装置、ナビゲーションシステムとしては自動車に搭載して運転者に経路を案内するカーナビゲーション装置、携帯電話をナビゲーション端末として利用して経路探索サーバに経路探索要求を送り、その結果を受信して経路案内を受ける通信型のナビゲーションシステムなどが実用化されている。
【０００３】
特に、通信型のナビゲーションシステムは、携帯電話などの携帯端末をナビゲーション端末として利用したシステムであって、歩行者用のナビゲーションシステムとしても用いられるものである。歩行者用のナビゲーションシステムとしては、交通機関を含めた経路案内機能を付加することが好ましく、道路ネットワークデータを用いた自動車や徒歩経路の探索と案内に加えて、経路探索サーバに交通機関の路線や運行時刻データを交通ネットワークデータとして蓄積している。
このような歩行者用のナビゲーションシステムは、所望の出発駅から所望の目的駅までの経路（乗車候補列車）を、徒歩経路の探索と案内に加えて案内する機能を有する。また、徒歩経路の経路探索を伴わずに情報配信サーバから交通機関の路線や時刻表、乗車可能な列車などの情報の配信を受けて表示する交通案内システムも存在する。
【０００４】
また、航空機、列車、電車、バスなどの交通手段を用いて出発地から目的地までの経路を探索して案内する経路探索システムも知られている。このような経路探索システムは一般的には、ユーザが指定する出発日時、出発地、目的地、到着時刻等の経路探索条件に基づいて経路探索を行う。
すなわち、各交通機関の路線データや運行時刻データをデータベース化した交通ネットワークデータを参照して、乗り継ぎを含めて出発地と目的地を結ぶ、利用可能な各交通手段を経路として順次たどり、経路探索条件に合致する案内経路（列車などの交通手段）の候補を１つまたは複数提示する。経路探索条件としては更に、所要時間、乗り継ぎ回数、運賃などの条件を指定できるようにされているのが一般的である。
【０００５】
上記のような道路ネットワークのデータを用いて経路探索して得た出発地から目的地までの経路のうち、経路の累計コスト（距離または時間）が最小となる経路が最適な案内経路として決定され、案内経路データが作成される。案内経路データには、最適経路のデータの他に地図データ、ガイダンスデータが含まれ、案内経路データは必要に応じて案内データ記憶手段から読み出され表示手段に表示される。
一般的には、ナビゲーション装置が有するＧＰＳ受信機を用いて測位したナビゲーション装置の現在位置を含む一定の縮尺、一定の範囲の地図に、案内経路と、ナビゲーション装置の現在位置を示すマークを重ね合わせ、該現在位置マークが表示画面の中心になるように表示する。
【０００６】
特に、携帯電話などの携帯端末装置をナビゲーション端末としたシステムでは、自動車の助手席に同乗した利用者が携帯端末装置を操作して経路探索サーバから地図や案内経路のデータの配信を受け、運転者をナビゲートする利用形態をとることも可能である。
【０００７】
このようなナビゲーションシステム、経路探索方法は、例えば、下記の特許文献１（特開２０００−２５８１８４号公報）に「交通ネットワーク経路探索方法および装置」として本出願人により開示されている。
この経路探索ナビゲーションシステムは、出発地点から目的地点までの経路を、地点をノード、地点間をリンクとして道路ネットワーク、交通ネットワークのデータとして表現し、コンピュータを用いてラベル確定法により最短コスト条件下で徒歩区間、交通機関利用区間を探索するものである。
【０００８】
この経路探索方法においては、出発地点および目的地点から利用する交通機関の駅までの経路として、出発地点および目的地点から利用する交通機関の駅までの直線距離を緯度経度情報を用いて求め、該直線距離を変数として平均コストを算出する。
そして、前記平均コストが指定したコストの範囲内に含まれるすべての利用交通機関の駅を求め、歩行経路を決定し、求められた歩行経路を交通機関の交通ネットワーク経路に組み込んで総合交通ネットワークを表現し、コンピュータを用いてラベル確定法により求めるコスト条件下で探索する。
【０００９】
車載用のナビゲーションシステムあるいは携帯端末装置を用いたナビゲーションシステムの何れであっても、移動手段として自動車を選択した場合、目的地周辺に駐車場が確保できるか否かということが問題になる。このような問題に対処するため目的地周辺の駐車場を検索して当該駐車場までの経路を探索して案内する経路探索表示装置が下記の特許文献２（特開２０００−１４６６１３号公報）に開示されている。
【００１０】
この特許文献２に開示された経路探索表示装置は、目的地または目的とする施設を入力する操作入力手段と、入力された目的地または施設の駐車場の有無を判定し、駐車場が無いと判定された場合には目的地または施設の周辺の駐車場を抽出する駐車場抽出手段と、抽出された駐車場までの経路を探索して表示手段に表示する経路探索手段と、を備えて構成されたものである。すなわち、この経路探索表示装置は、「現在位置（自動車）」〜「駐車場」〜「目的地」という案内を提供するものである。
【００１１】
また、駐車場がない時に、他の選択肢として電車やバスといった交通機関を使用して移動したり徒歩と組み合わせて移動したりする方法もとり得る。上記特許文献１のような交通ネットワーク経路探索方法を更に発展させ、それらを総合したマルチモーダルなナビゲーションシステムが下記の特許文献３（特開２００５−１３４２０９号公報）に「経路案内システム」として携帯開示されている。
【００１２】
この特許文献３に開示された経路案内システムは、経路探索条件のデータをサーバに送信する探索条件送信手段と、経路探索条件に応じて前記サーバが作成した経路データをサーバから受信する探索結果受信手段と、地図データの送信を要求する地図データ送信要求情報をサーバに送信する地図要求情報送信手段と、サーバから送信された地図データを受信する地図データ受信手段と、情報表示画面に表示可能な範囲と、経路データとに基づいて経路画像を作成する経路画像作成手段と、地図データに基づいて地図画像と経路画像とを組み合わせて経路案内地図画像を作成する案内地図画像作成手段とを備えた携帯端末を備えたものである。
【００１３】
すなわち、この経路案内システムは、携帯端末装置のプラットフォーム上でナビゲーションアプリを動作させ、経路探索サーバにアクセスして案内経路などのデータを受信し、「現在位置」〜「全ての移動手段を探索」〜「自動車を選択」〜「目的地」という案内を提供するものである。
【００１４】
【特許文献１】特開２０００−２５８１８４号公報（図４）
【特許文献２】特開２０００−１４６６１３号公報（図１、図３）
【特許文献３】特開２００５−１３４２０９号公報（図２）
【発明の開示】
【発明が解決しようとする課題】
【００１５】
しかしながら、上記特許文献１ないし特許文献３に開示されたナビゲーションシステムを単独でまたは組み合わせても、１回の目的地入力で、「現在位置」〜「全ての移動手段を探索」〜「自動車を選択」〜「駐車場」〜「目的地」という案内を提供することはできなかった。これは上記特許文献１ないし特許文献３に開示されたナビゲーションシステムでは、案内経路の移動途中で移動手段を変更したり、目的地周辺の駐車場など中間目的地の探索をしたりするなど、経路探索の条件が変化した場合には、その都度、経路探索条件を再設定する必要があり、再度目的地を入力する必要があったためである。
このため、従来のナビゲーションシステムでは、煩雑な操作が必要になるという問題点があった
【００１６】
本願の発明者は上記の問題点を解消すべく種々検討を重ねた結果、最初の経路探索条件として入力された目的地を第１目的地として記憶しておき、案内経路の移動途中において、当初目的地の周辺検索により目的地が変わったり、移動手段を変更されたりしても、移動手段が変更されるたびに記憶しておいた第１目的地を目的地とした再探索を行うように構成すれば上記問題点を解消し得ることに想到して本発明を完成するに至ったものである。
【００１７】
すなわち、本発明は前述の問題点を解消することを課題とし、案内経路の移動途中で移動手段を変更したり、目的地周辺の駐車場など中間目的地の探索をしたりするなど、経路探索の条件が変化しても、１回の目的地入力をすれば当初目的地までの経路を再探索できるようにしたナビゲーションシステム、経路探索サーバおよび携帯端末装置を提供することを目的とするものである。
【課題を解決するための手段】
【００１８】
前記課題を解決するために、本願の請求項１にかかる発明は、
経路探索サーバと携帯端末装置とを備えたナビゲーションシステムにおいて、
前記ナビゲーションシステムは、前記携帯端末装置が経路探索条件として設定した第１の目的地を記憶する第１目的地記憶手段と、
前記携帯端末装置が選択した移動手段に応じて第２の目的地の案内を提供する手段と、
前記携帯端末装置が前記第２の目的地への経路案内を要求した場合、当該第２の目的地への経路を探索して案内経路を提供する手段と、を備え、
前記案内経路を提供した後も、前記携帯端末装置が移動手段を変更するごとに、前記第１目的地記憶手段に記憶した第１の目的地に基づいて、当該第１の目的地までの経路を探索するようになしたことを特徴とする。
【００１９】
本願の請求項２にかかる発明は、請求項１にかかるナビゲーションシステムにおいて、
前記第１目的地記憶手段は、前記携帯端末装置ごとに記憶することを特徴とする。
【００２０】
本願の請求項３にかかる発明は、請求項１または請求項２にかかるナビゲーションシステムにおいて、
前記携帯端末装置は、移動手段を異にする複数のナビゲーションアプリケーションを備え、前記移動手段の変更は前記ナビゲーションアプリケーションの切り替えによって行うことを特徴とする。
【００２１】
本願の請求項４にかかる発明は、請求項３にかかるナビゲーションシステムにおいて、
前記複数のナビゲーションアプリケーションは、少なくとも歩行者用のナビゲーションを提供するナビゲーションアプリケーションと、自動車用のナビゲーションを提供するナビゲーションアプリケーションであることを特徴とする。
【００２２】
また、本願の請求項５にかかる発明は、
携帯端末装置とネットワークを介して接続される経路探索サーバにおいて、
前記経路探索サーバは、前記携帯端末装置が経路探索条件として設定した第１の目的地を記憶する第１目的地記憶手段と、
前記携帯端末装置が選択した移動手段に応じて第２の目的地の案内を提供する手段と、
前記携帯端末装置が前記第２の目的地への経路案内を要求した場合、当該第２の目的地への経路を探索して案内経路を提供する手段と、を備え、
前記案内経路を提供した後も、前記携帯端末装置が移動手段を変更するごとに、前記第１目的地記憶手段に記憶した第１の目的地に基づいて、当該第１の目的地までの経路を探索するようになしたことを特徴とする。
【００２３】
本願の請求項６にかかる発明は、請求項５にかかる経路探索サーバにおいて、
前記第１目的地記憶手段は、前記携帯端末装置ごとに記憶することを特徴とする。
【００２４】
また、本願の請求項７にかかる発明は、
携帯端末装置が経路探索条件として設定した第１の目的地を記憶する第１目的地記憶手段と、前記携帯端末装置が選択した移動手段に応じて第２の目的地の案内を提供する手段と、前記携帯端末装置が前記第２の目的地への経路案内を要求した場合、当該第２の目的地への経路を探索して案内経路を提供する手段と、を備え、前記案内経路を提供した後も、前記携帯端末装置が移動手段を変更するごとに、前記第１目的地記憶手段に記憶した第１の目的地に基づいて、当該第１の目的地までの経路を探索する経路探索サーバにネットワークを介して接続される携帯端末装置であって、
前記携帯端末装置は、移動手段を異にする複数のナビゲーションアプリケーションを備え、前記移動手段の変更は前記ナビゲーションアプリケーションの切り替えによって行うことを特徴とする。
【００２５】
本願の請求項８にかかる発明は、請求項７にかかる携帯端末装置において、
前記複数のナビゲーションアプリケーションは、少なくとも歩行者用のナビゲーションを提供するナビゲーションアプリケーションと、自動車用のナビゲーションを提供するナビゲーションアプリケーションであることを特徴とする。
【発明の効果】
【００２６】
請求項１にかかる発明においては、ナビゲーションシステムは、前記携帯端末装置が経路探索条件として設定した第１の目的地を記憶する第１目的地記憶手段と、携帯端末装置が選択した移動手段に応じて第２の目的地の案内を提供する手段と、携帯端末装置が前記第２の目的地への経路案内を要求した場合、当該第２の目的地への経路を探索して案内経路を提供する手段と、を備え、案内経路を提供した後も、携帯端末装置が移動手段を変更するごとに、第１目的地記憶手段に記憶した第１の目的地に基づいて、当該第１の目的地までの経路を探索する。
従って、利用車者は携帯端末装置から目的地を１回入力するだけで、自動車により目的地（第１目的地）まで移動する途中で第１目的地周辺の駐車場を第２目的地とした探索を行い、第２目的地から第１目的地に徒歩移動する場合のように、案内経路の移動途中で移動手段を変更したり、目的地周辺の駐車場など中間目的地の探索をしたりすることができるようになり、利便性を向上することができるようになる。
【００２７】
請求項２にかかる発明においては、請求項１にかかる発明において、第１目的地記憶手段は、前記携帯端末装置ごとに記憶する。従って、経路探索サーバ３０は、ネットワークを介して接続される多数の携帯端末装置の利用者に対して同様のサービスを提供することができるようになる。
【００２８】
請求項３にかかる発明においては、請求項１または請求項２にかかる発明において、前記携帯端末装置は、移動手段を異にする複数のナビゲーションアプリケーションを備え、前記移動手段の変更は前記ナビゲーションアプリケーションの切り替えによって行う。
従って、利用者はナビゲーションシアプリケーションを切り替えることによって、移動手段を変更したり、第１の目的地周辺の第２の目的地への経路案内を要求したりすることができるようになる。その結果、目的地の入力なしに、第１の目的地までの経路の再探索を継続することができるようになる。
【００２９】
請求項４にかかる発明においては、請求項３にかかる発明において、前記複数のナビゲーションアプリケーションは、少なくとも歩行者用のナビゲーションを提供するナビゲーションアプリケーションと、自動車用のナビゲーションを提供するナビゲーションアプリケーションである。
従って利用者は、徒歩移動によるナビゲーションサービスを受ける他、自動車の助手席に同乗して自動車による移動のナビゲーションサービスを受けることができるようになる。そして、ナビゲーションシアプリケーションを切り替えることによって、移動手段を変更したり、第１の目的地周辺の第２の目的地への経路案内を要求したりすることができるようになる。その結果、目的地の入力なしに、第１の目的地までの経路の再探索を継続することができるようになる。
【００３０】
また、請求項５、請求項６にかかる発明においては、それぞれ請求項１、請求項２にかかるナビゲーションシステムを構成する経路探索サーバを提供することができるようになり、請求項７、請求項８にかかる発明においては、それぞれ請求項３、請求項４にかかるナビゲーションシステムを構成する携帯端末装置を提供することができるようになる。
【図面の簡単な説明】
【００３１】
【図１】本発明の実施例にかかるナビゲーションシステムの構成を示すブロック図である。
【図２】自動車用の経路案内のためのナビゲーションアプリケーションと歩行者用の経路案内のためのナビゲーションアプリケーション間の切り替え、リンクを説明するための画面遷移図である。
【図３】道路ネットワークデータの概念を示す模式図である。
【図４】交通ネットワークデータの概念を示す模式図である。
【発明を実施するための形態】
【００３２】
以下、本発明の具体例を実施例及び図面を用いて詳細に説明する。なお、以下の実施例は、携帯電話などの携帯端末装置を用いた通信型のナビゲーションシステムを例に説明する。以下の実施例において携帯端末装置をナビゲーション端末装置と称する。
【実施例１】
【００３３】
図１は、本発明の実施例にかかるナビゲーションシステムの構成を示すブロック図である。本発明の実施例にかかるナビゲーションシステム１０は、図１のブロック図に示すようにインターネットなどのネットワーク１１を介して通信するナビゲーション端末装置２０と、経路探索サーバ３０と、を備えて構成されている。
ナビゲーション端末装置２０は、経路探索サーバ３０に出発地と目的地などの経路探索条件を設定して経路探索要求を送信し、経路探索サーバ３０は経路探索条件に従って、道路ネットワークデータ３６、交通ネットワークデータ３７からなる探索用ネットワークデータ３５を参照して最適経路を探索し、その最適経路を案内経路データに編集してナビゲーション端末装置２０に配信する。
【００３４】
経路探索サーバ３０は、歩行者ナビゲーションシステムやカーナビゲーションシステムにおける経路探索のための地図データを含む道路ネットワークデータ３６と交通機関を利用する経路区間を探索するための交通ネットワークデータ３７を蓄積した探索用ネットワークデータ３５（データベース）を備え、インターネットなどのネットワーク１２を介して興味対象場所（ＰＯＩ）の情報を提供するＰＯＩ情報提供サーバ５０に接続して駐車場やテーマパーク、ホテルなどの興味対象場所を検索することができる。
【００３５】
ナビゲーション端末装置２０は、制御手段２１、通信手段２２、測位手段２３、表示手段２４、操作・入力手段２５、案内経路データ記憶手段２６、配信要求編集手段２７、助手席ナビアプリ２８、歩行者ナビアプリ２９を備えて構成されている。測位手段２３は、ＧＰＳ受信機を備えＧＰＳ衛星信号を受信、処理してナビゲーション端末装置２０の現在位置（緯度・経度）を測位する。
【００３６】
通信手段２２は、無線通信ユニットを含み、経路探索サーバ３０と通信するためのものである。操作・入力手段２５は、キー、ダイヤル等からなり、ナビゲーション端末装置２０を操作するための入力、出発地、目的地などの入力機能として用いられる。表示手段２４は液晶表示パネル等からなり、経路探索サーバ３０から配信された案内経路データの案内経路、現在位置や地図の表示に使用されるものである。
【００３７】
また、表示手段２４はメニュー画面を表示しナビゲーション端末装置２０を操作するための入力手段としても機能する。配信要求編集手段２７は、操作・入力手段２５を使用して入力された出発地、目的地、あるいは、測位手段２３で測位したナビゲーション端末装置２０の現在位置を出発地として、これらの情報に基づいて、経路探索サーバ３０に送信する経路探索要求を作成するものである。
【００３８】
案内経路データ記憶手段２６は、経路探索サーバ３０から配信された経路探索結果である案内経路データ、地図データ、ガイダンスなどを記憶するものであり、これらのデータは必要に応じて案内経路データ記憶手段２６から読み出され、表示手段２４に表示される。一般的には、測位手段２３で測位したナビゲーション端末装置２０の現在位置を含む一定の縮尺、一定の範囲の地図に、案内経路と、ナビゲーション端末装置２０の現在位置を示すマークを重ね合わせて該現在位置マークが表示画面の中心になるように表示する。
【００３９】
測位手段２３によりＧＰＳ衛星信号を受信して測位した現在位置情報（緯度・経度の情報）には誤差が含まれるため、現在位置が案内経路からずれている場合には現在位置を案内経路上に補正するルートマッチング処理や現在位置を最も近い道路上に補正するマップマッチング処理が行われる。また、経路探索サーバ３０から配信される案内経路データに音声ガイド（例えば、「この先、３００ｍ交差点です。左折して下さい」などの音声メッセージ）のデータが付加されている場合は、スピーカを介して音声メッセージを再生出力してユーザをガイドする。
【００４０】
ナビゲーション端末装置２０が経路探索サーバ３０にナビゲーションサービスを要求する場合、ナビゲーション端末装置２０にインストールされたナビゲーションのためのアプリケーションを起動して経路探索要求を送信したり、経路探索サーバ３０から配信される案内経路のデータなどを受信し、案内を表示したり音声出力する。このため、本実施例におけるナビゲーション端末装置２０には、歩行者用のナビゲーションサービスを受けるための歩行者用ナビアプリ（ナビゲーションアプリケーション）２９と助手席用ナビアプリ（ナビゲーションアプリケーション）２８がインストールされ、ナビゲーション端末装置２０のプラットフォーム上で動作するように構成されている。
【００４１】
助手席用ナビアプリ２８は、自動車を移動手段としたナビゲーションサービスを受けるためのものであり、ナビゲーション端末装置２０の利用者が自動車の助手席に同乗して経路探索サーバ３０から案内経路等のデータの配信を受け、運転者に経路を案内する場合に使用する。従って、助手席用ナビアプリ２８が起動された場合、移動手段は自動車になり、経路探索サーバ３０は、自動車用の道路ネットワークデータ３６を参照して出発地から目的地までの経路を探索して案内する。
【００４２】
一方、歩行者用ナビアプリ２８は、ナビゲーション端末装置２０が携帯電話である場合の主用途である歩行者のための経路探索、経路案内のために使用されるアプリケーションであり、この場合、移動手段は徒歩または徒歩と交通機関の組み合わせであり、経路探索サーバ３０は歩行者用の道路ネットワークデータ３６、交通ネットワークデータ３７を参照して経路を探索する。
【００４３】
経路探索サーバ３０は経路探索にあたって助手席用ナビアプリ２８からの経路探索要求の場合、道路ネットワークデータ３６から公園内など車両進入が禁止されている道路などのデータを除外して探索し、歩行者用ナビアプリ２９からの経路探索要求の場合、道路ネットワークデータ３６から高速道路など自動車専用の道路のデータを除外し探索する。
【００４４】
このようにナビゲーション端末装置２０の用途によって助手席用ナビアプリ２８と歩行者用ナビアプリ２９に分ける理由は、利用者によってニーズが異なることや、課金を区別する必要があること、さらに現実的には経路案内のサービス開始タイミングが異なるなどの理由による。しかしながら、同一のナビゲーション端末装置２０で複数のナビゲーションアプリが複数稼動できるようになっており、利用者は助手席ナビアプリ２８を利用した経路案内で目的地近辺の駐車場まで移動し、駐車場から目的地までを歩行者用ナビアプリ２９を利用した経路案内で移動するという利用形態をとることができる。
【００４５】
従って、ナビゲーション端末装置２０においては、助手席用ナビアプリ２８を利用した経路案内から歩行者用ナビアプリ２９を利用した経路案内に切り替えることができるように構成されている。また、経路探索サーバ３０はこれに対応してアクセスしているナビゲーション端末装置２０ごとに、ナビゲーション端末装置２０が何れのアプリケーションでアクセスしているかなど、端末側の情報を記憶する機能を有しており、この機能を用いて後述するようにナビゲーション端末装置２０における稼働中のアプリケーション（助手席用ナビアプリ２８と歩行者用ナビアプリ２９）で設定された経路探索条件、特に、目的地の情報の引き継ぎ、リンクを可能としている。
【００４６】
図２は、助手席用ナビアプリ２８と歩行者用ナビアプリ２９との切り替え、リンクの関係を示す画面遷移図である。図２の場合、１つのナビゲーション端末装置２０に歩行者ナビアプリ２９と助手席用ナビアプリ２８がインストールされ、どちらも動作可能になっている利用者が、ある目的地への経路探索を行う場合の画面遷移の例である。なお、画面の画像データは経路探索サーバ３０で表示内容を案内経路のデータとして配信しているので、経路探索サーバ３０側の動作も密接に関係している。
【００４７】
画面１は、利用者が歩行者用ナビアプリ２９を起動している場合に経路探索サーバ３０から配信された案内経路データに基づいて表示手段２４に表示される案内画面の構成を示している。画面１の案内画面の上部には「再探索」や「目的地の周辺検索」などの選択項目が表示され、下部には各種の移動手段を使用して目的地まで探索した複数の案内経路候補が表示され、助手席ナビアプリ２８に切り替えるための選択項目（リンク）「助手席ナビで行く」が表示されている。
この場合、先ず利用者が歩行者用ナビアプリ２９で、目的地を「東京タワー」としてその経路探索を行った例を示している。その結果、最も早く到着できるのが渋滞を考慮しても車（タクシーを含む）ルートであったので、マイカーで移動することに決定した。
【００４８】
そこで、画面１において選択項目「助手席ナビで行く」を選択（クリック）することによって助手席ナビアプリ２８に切り替えられる（もちろんナビゲーション端末装置２０が助手席用ナビアプリ２８の会員登録済であることが必要）。助手席ナビアプリ２８に切り替えられると移動手段は自動車であるから、有料道路料金なども表示する。これは自動車に特化したナビアプリなので、目的地周辺の駐車場リストへのリンクを用意している。
すなわち、表示手段２４の表示画面は画面２の案内画面に遷移する。この画面では、画面下部に周辺の駐車場検索のへ選択項目（リンク）「周辺の駐車場」が表示され、この選択項目をクリックすると、当初の目的地（第１目的地）である「東京タワー」周辺の駐車場探索へリンクすることができる。
【００４９】
周辺の駐車場検索への選択項目（リンク）「周辺の駐車場」が選択されると、目的地に近い順に駐車場のリストが表示され、どこか１箇所を選択すると、その駐車場を目的地とした経路探索の要求ページが表示される。再度、渋滞考慮や有料道路などの希望で探索条件を選ぶと、ＧＰＳで現在地を取得して、選択した駐車場を目的地とした経路が供給される。
【００５０】
画面３は、この駐車場探索の結果を表示手段２４に表示した案内画面を示している。画面３には、目的地（東京タワー）に近い順に駐車場のリストが表示され、どこか１箇所を選択すると、その駐車場を目的地とした経路探索の要求ページが画面４のように表示される。
【００５１】
画面４には、上部に「現在地を出発地にしてナビします」の経路探索要求の表示文字が表示され、また、経路探索条件の選択項目「渋滞考慮ルート」「距離優先ルート」などのリンクが表示され、例えば、渋滞考慮や有料道路などの希望で探索条件を選ぶと、ＧＰＳで現在地を取得して、選択した駐車場を目的地とした経路探索条件が経路探索サーバ３０に送信され、経路探索サーバ３０は現在地から選択された駐車場（第２目的地）までの経路の再探索が行われ、その結果が案内経路として配信される。
【００５２】
画面５は、この再探索の結果を表示手段２４に表示した案内画面を示している。画面４には上部に「ルート案内開始」の選択項目（リンク）が表示され、ここで利用者が「ルート案内開始」のリンクをクリックすると、助手席用ナビアプリ２８による経路案内が実行される。すなわち、助手席用ナビアプリ２８により経路探索サーバ３０から第２目的地として選択された駐車場までの地図データや案内経路データが要求され、経路探索サーバ３０からナビゲーション端末装置２０にこれらのデータが配信されると、ナビゲーション端末装置２０は地図、現在位置、案内経路を表示手段２４に表示し、ガイダンスを受けることができる。
【００５３】
また、画面５の下部には、歩行者用ナビアプリ２９への選択項目（リンク）「ナビウォークで道案内」が用意（表示）されており、この選択項目をクリックして選択すると、歩行者用ナビアプリ２９に切り替えが行われる。これにより歩行者用ナビアプリ２９が起動され、経路探索サーバ３０はナビゲーション端末装置２０に対して歩行者用のナビゲーションサービスに移行する。
【００５４】
その際、目的地は助手席用ナビアプリ２８が選択していた駐車場（第２の目的地）ではなくて、最初に入力した第１の目的地である「東京タワー」を目的地として歩行者用の経路探索が行われるようにリンクが作成されている。このリンクの仕組みは、経路探索サーバ３０が画面５のルート再検索結果のページ（案内画面のデータ）を配信する際に、歩行者用ナビアプリ２９へのリンクに最初の目的地情報を埋め込んだものとすることによって可能になっている。従って、このリンクが選択されると、経路探索サーバ３０は現在地から第１の目的地である「東京タワー」への歩行者用の経路探索を行うことができる。
【００５５】
そのため、経路探索サーバ３０はナビゲーション端末装置２０ごとに、第１目的地、第２目的地の情報を記憶している。先に述べたように経路探索サーバ３０はナビゲーション端末装置２０ごとにナビゲーション端末装置２０が何れのアプリケーションでアクセスしているかなど、端末側の情報を記憶する機能を有しており、この記憶情報の中に第１目的地、第２目的地など端末側の経路探索条件を記憶しておくことができる。これにより経路探索サーバ３０は、アプリケーションが切り替えられ、移動手段や目的地が変化しても案内画面（図２の画面５参照）に第１目的地を埋め込んだリンクを含めてナビゲーション端末装置２０に配信することができる。
【００５６】
このように、画面５に示す案内画面のページには、第１目的地を埋め込んだ選択項目（リンク）が用意されているので、助手席用ナビアプリ２８を利用した経路案内によって、利用者が目的の駐車場（第２目的地）に到着した後でも、また、経路途中でも歩行者用ナビアプリ２９に戻れるようになっているので、第１目的地を再入力することなしにナビゲーションアプリケーションを切り替えて最終目的地へ向けて進むことが可能である。
【００５７】
一方、経路探索サーバ３０は、図１に示すように、制御手段３１、経路案内手段３２、経路探索手段３３、通信手段３４、探索用ネットワークデータ３５、道路ネットワークデータ３６、交通ネットワークデータ３７、ネットワークデータ編集手段３８、第１目的地記憶手段３９、第２目的地記憶手段４０などを備えて構成されている。
【００５８】
制御手段３１は、図示してはいないがＲＡＭ、ＲＯＭ、プロセッサを有するマイクロプロセッサであり、ＲＯＭに格納された制御プログラムにより各部の動作を制御する。通信手段３４は、ネットワーク１１を介してナビゲーション端末装置２０と通信するためのインターフェースである。経路探索手段３３はナビゲーション端末装置２０から送信された経路探索条件に従って探索用ネットワークデータ３５を参照して候補経路や最適経路を探索する。
【００５９】
経路案内手段３２は経路探索の結果得られた案内経路や周辺探索の結果得られた案内データをナビゲーション端末装置２０に配信するためのデータに編集して送信するためのものであり、図２に画面遷移で示した案内画面や、ルート案内においては探索した案内経路や地図データを編集して通信手段３４を介してナビゲーション端末装置２０に配信する。
【００６０】
第１目的地記憶手段３９、第２目的地記憶手段４０は、先に述べたように、経路探索サーバ３０にアクセスしているナビゲーション端末装置２０ごとにナビゲーション端末装置２０が起動しているアプリケーション（助手席用ナビアプリ２８、歩行者用ナビアプリ２９）において経路探索条件として設定された目的地の情報を記憶し、案内画面の選択項目にリンク情報として埋め込んで配信する（図２の画面５参照）。
【００６１】
歩行者ナビゲーションシステムやカーナビゲーションシステムにおける経路探索のための道路ネットワーク３６は以下のように構成されている。例えば、道路が図３に示すように道路Ａ、Ｂ、Ｃからなる場合、道路Ａ、Ｂ、Ｃの端点、交差点、屈曲点などをノードとし、各ノード間を結ぶ道路を有向性のリンクで表し、ノードデータ（ノードの緯度・経度）、リンクデータ（リンク番号）と各リンクのリンクコスト（リンクの距離またはリンクを走行するのに必要な所要時間）をデータとしたリンクコストデータとで構成される。
すなわち、図３において、○印、◎印がノードを示し、◎印は道路の交差点を示している。各ノード間を結ぶ有向性のリンクを矢印線（実線、点線、２点鎖線）で示している。リンクは、道路の上り、下りそれぞれの方向を向いたリンクが存在するが、図３では図示を簡略化するため矢印の向きのリンクのみを図示している。
【００６２】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図３において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値が最少になる経路を探索して案内する。
【００６３】
図３ではノードＡＸからノードＣＹに至る他の経路は図示されていないが、実際にはそのような経路が他にも存在するため、ノードＡＸからノードＣＹに到達する可能な経路を同様にして探索し、それらの経路のうちリンクコストが最少になる経路を最適経路として決定するものである。この手法は、例えば、ダイクストラ法と呼ばれる周知の手法によって行われる。
【００６４】
これに対して、交通機関の経路探索のための交通ネットワークデータ３７は以下のように構成されている。例えば、図４に示すように交通路線Ａ、Ｂ、Ｃからなる場合、各交通路線Ａ、Ｂ、Ｃに設けられた各駅（航空機の路線においては各空港）をノードとし、各ノード間を結ぶ区間を有向性のリンクで表し、ノードデータ（緯度・経度）、リンクデータ（リンク番号）をネットワークデータとしている。図４において、○印、◎印がノードを示し、◎印は交通路線の乗り継ぎ点（乗換え駅など）を示し、各ノード間を結ぶ有向性のリンクを矢印線（実線、点線、２点鎖線）で示している。リンクは、交通路線の上り、下りそれぞれの方向を向いたリンクが存在するが、図４では図示を簡略化するため矢印の向きのリンクのみを図示している。
【００６５】
しかしながら、交通ネットワークは道路ネットワークと比べリンクコストが基本的に異なる。すなわち、道路ネットワークではリンクコストは固定的、静的なものであったが、交通ネットワークでは、図４に示すように交通路線を運行する列車や航空機（以下個々の列車や航空機などの各経路を交通手段と称する）が複数ある。各交通手段毎にあるノードを出発する時刻と次のノードに到着する時刻とが定まっており（時刻表データ、運行データで規定される）、かつ、個々の経路が必ずしも隣接するノードにリンクしない場合がある。例えば、急行と各駅停車の列車のような場合である。このような場合には同じ交通路線上に異なる複数のリンクが存在することになり、またノード間の所要時間が交通手段により異なる場合もある。
【００６６】
図４に例示する交通ネットワークにおいては、交通路線Ａの同じリンクに複数の交通手段（経路）Ａａ〜Ａｃ・・・、交通路線Ｃに複数の交通手段（経路）Ｃａ〜Ｃｃ・・・が存在することになる。従って、交通機関の運行ネットワークは、単純な道路ネットワークと異なり、ノード、リンク、リンクコストの各データは交通手段（個々の航空機や列車などの経路）の総数に比例したデータ量になる。このため交通ネットワークのデータは道路ネットワークのデータ量に比べて膨大なデータ量になる。従って、それに応じて、経路探索に要する時間も多くの時間が必要になる。
【００６７】
このような交通ネットワークデータを用いて、ある出発地からある目的地までの経路を探索するためには、出発地から目的地まで到達する際に使用（乗車）できる全ての交通手段を探索して探索条件に合致する交通手段を特定する必要がある。
例えば、図４において、出発地を交通路線ＡのノードＡＸとしてある特定の出発時刻を指定して、交通路線ＣのノードＣＹを目的地とする経路探索を行う場合、交通路線Ａ上を運行する交通手段Ａａ〜Ａｃ・・・のうち出発時刻以降の全ての交通手段を順次出発時の経路として選択する。そして交通路線Ｃへの乗り継ぎノードへの到着時刻に基づいて、交通路線Ｃ上を運行する各交通手段Ｃａ〜Ｃｃ・・・のうち、乗り継ぎノードにおいて乗車可能な時刻以降の交通手段の全ての組み合わせを探索して各経路の所要時間や乗り換え回数などを累計して案内することになる。
【００６８】
先に説明したように、経路探索サーバ３０は経路探索にあたって助手席用ナビアプリ２８からの経路探索要求の場合、道路ネットワークデータ３６から公園内など車両進入が禁止されている道路などのデータを除外して探索し、歩行者用ナビアプリ２９からの経路探索要求の場合、道路ネットワークデータ３６から高速道路など自動車専用の道路のデータを除外し探索する。また、徒歩と交通機関を利用した経路探索においては道路ネットワークデータ３６と交通ネットワークデータ３７を総合して経路探索が行われる。このような探索用のネットワークデータ３５の編集はネットワークデータ編集手段３８によって行われる。
【００６９】
以上、説明したように、本発明によれば、１回の目的地入力のみで案内経路の移動途中で移動手段を変更したり、目的地周辺の駐車場など中間目的地の探索をしたりすることができるようになり、利便性を向上することができるようになる。
【００７０】
なお、上記実施例においては、ナビゲーション端末装置２０が設定した第１目的地、第２目的地の情報を経路探索サーバ３０にナビゲーション端末装置２０ごとに記憶する構成を説明したが、ナビゲーション端末装置２０の処理能力が十分な場合には、ナビゲーション端末装置２０にこれを記憶しておき、経路探索サーバ３０から配信された案内画面データに端末装置側でリンク情報として第１目的地を埋め込んで表示手段に表示する処理をするように構成することも可能である。
【産業上の利用可能性】
【００７１】
本発明の実施例においては、自動車により目的地（第１目的地）まで移動する途中で第１目的地周辺の駐車場を第２目的地とした探索を行い、第２目的地から第１目的地に徒歩移動する経路案内に移行する例を説明したが、駐車場探索から徒歩移動に移行する場合に限らず、パーク・アンド・ライドや乗り物の共有、レンタカーなどの利用などの利用形態において目的地の再入力が不要であり効果的に利用することができる。
【符号の説明】
【００７２】
１０・・・・ナビゲーションシステム
１１、１２・ネットワーク
２０・・・・ナビゲーション端末装置
２１・・・・制御手段
２２・・・・通信手段
２３・・・・測位手段
２４・・・・表示手段
２５・・・・操作・入力手段
２６・・・・案内経路データ記憶手段
２７・・・・配信要求編集手段
２８・・・・助手席用ナビアプリ
２９・・・・歩行者用ナビアプリ
３０・・・・経路探索サーバ
３１・・・・制御手段
３２・・・・経路案内手段
３３・・・・経路探索手段
３４・・・・通信手段
３５・・・・探索用ネットワークデータ
３６・・・・道路ネットワークデータ
３７・・・・交通ネットワークデータ
３８・・・・ネットワークデータ編集手段
３９・・・・第１目的地記憶手段
４０・・・・第２目的地記憶手段
５０・・・・ＰＯＩ情報提供サーバ
【図１】
2010204115.tif 000003
【図２】
2010204115.tif 000004
【図３】
2010204115.tif 000005
【図４】
2010204115.tif 000006
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
端末装置からの情報取得要求に応じてサーバ装置から端末装置へ案内情報を配信し、端末装置の表示部へ出力する情報提供システムにおいて、
前記端末装置は、
第一のアプリケーション記憶手段と、
第二のアプリケーション記憶手段と、
上記第一のアプリケーションを介して少なくとも地点情報を含めて情報取得要求をサーバ装置へ送信する情報取得要求送信手段と、
サーバ装置から配信される案内情報を受信する案内情報受信手段と、
前記案内情報受信手段が受信した前記案内情報をもとに、前記表示部へ案内情報画面を出力する出力手段と、
前記出力手段が表示出力する案内情報画面上の選択項目の選択操作を受け付ける選択操作受付手段と、を備え、
前記サーバ装置は、
前記情報取得要求送信手段が送信する情報取得要求を受け付ける受付手段と、
前記情報取得要求に含まれる前記地点情報を端末装置毎に端末アクセス情報として記憶する端末アクセス情報記憶手段と、
前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、
前記情報取得要求に対応する情報に、前記切替リンク情報を付加した情報を案内情報として端末装置へ配信する配信手段と、を備えたことを特徴とする情報提供システム。
【請求項２】
前記選択操作受付手段が前記案内情報画面上の切替リンクの選択操作を受け付けると、第一のアプリケーションから第二のアプリケーションへ切り替わると共に、前記出力手段は、第二のアプリケーションによる上記地点情報を用いた処理結果の画面を出力することを特徴とする請求項１に記載の情報提供システム。
【請求項３】
前記第一のアプリケーションと第二のアプリケーションとのうち少なくとも一つはナビゲーション用アプリケーションであることを特徴とする請求項１または請求項２に記載の情報提供システム。
【請求項４】
前記ナビゲーション用アプリケーションは、歩行者用ナビゲーションアプリケーションまたは自動車用ナビゲーションアプリケーションであることを特徴とする請求項３に記載の情報提供システム。
【請求項５】
第一のアプリケーション記憶手段と、第二のアプリケーション記憶手段と、上記第一のアプリケーションを介して少なくとも地点情報を含めて情報取得要求をサーバ装置へ送信する情報取得要求送信手段と、サーバ装置から配信される案内情報を受信する案内情報受信手段と、前記案内情報受信手段が受信した前記案内情報をもとに、前記表示部へ案内情報画面を出力する出力手段と、前記出力手段が表示出力する案内情報画面上の選択項目の選択操作を受け付ける選択操作受付手段と、を備えた端末装置に接続され、端末装置からの情報取得要求に応じてサーバ装置から端末装置へ案内情報を配信し、端末装置の表示部へ出力するサーバ装置であって、
前記サーバ装置は、
前記情報取得要求送信手段が送信する情報取得要求を受け付ける受付手段と、
前記情報取得要求に含まれる前記地点情報を端末装置毎に端末アクセス情報として記憶する端末アクセス情報記憶手段と、
前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、
前記情報取得要求に対応する情報に、前記切替リンク情報を付加した情報を案内情報として端末装置へ配信する配信手段と、を備えたことを特徴とするサーバ装置。
【請求項６】
情報取得要求送信手段が送信する情報取得要求を受け付ける受付手段と、前記情報取得要求に含まれる前記地点情報を端末装置毎に端末アクセス情報として記憶する端末アクセス情報記憶手段と、前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、前記情報取得要求に対応する情報に、前記切替リンク情報を付加した情報を案内情報として端末装置へ配信する配信手段と、を備え、端末装置からの情報取得要求に応じてサーバ装置から端末装置へ案内情報を配信し、端末装置の表示部へ出力するサーバ装置に接続される端末装置であって、
前記端末装置は、
第一のアプリケーション記憶手段と、
第二のアプリケーション記憶手段と、
上記第一のアプリケーションを介して少なくとも地点情報を含めて情報取得要求をサーバ装置へ送信する情報取得要求送信手段と、
サーバ装置から配信される案内情報を受信する案内情報受信手段と、
前記案内情報受信手段が受信した前記案内情報をもとに、前記表示部へ案内情報画面を出力する出力手段と、
前記出力手段が表示出力する案内情報画面上の選択項目の選択操作を受け付ける選択操作受付手段と、を備えたことを特徴とする端末装置。
【請求項７】
端末装置からの情報取得要求に応じてサーバ装置から端末装置へ案内情報を配信し、端末装置の表示部へ出力する情報提供システムにおける情報提供方法において、
前記端末装置は、
情報取得要求送信手段が上記第一のアプリケーションを介して少なくとも地点情報を含めて情報取得要求をサーバ装置へ送信する情報取得要求送信ステップと、案内情報受信手段がサーバ装置から配信される案内情報を受信する案内情報受信ステップと、出力手段が前記案内情報受信手段が受信した前記案内情報をもとに、前記表示部へ案内情報画面を出力する案内情報画面出力ステップと、選択操作受付手段が出力手段が表示出力する案内情報画面上の選択項目の選択操作を受け付ける選択操作受け付けステップと、を有し、
前記サーバ装置は、
受付手段が記情報取得要求送信手段が送信する情報取得要求を受け付ける情報取得要求受け付けステップと、端末アクセス情報記憶手段が前記情報取得要求に含まれる前記地点情報を端末装置毎に端末アクセス情報として記憶する端末アクセス情報記憶ステップと、切替リンク情報生成手段が前記端末アクセス情報に基づいて、第一のアプリケーションから第二のアプリケーションへ切り替えるための切替リンクであって、前記地点情報が埋め込まれた切替リンクの情報を生成する切替リンク情報生成ステップと、配信手段が前記情報取得要求に対応する情報に、前記切替リンク情報を付加した情報を案内情報として端末装置へ配信する案内情報配信ステップと、を有することを特徴とする情報提供方法。
【請求項８】
第一のアプリケーション記憶手段と、第二のアプリケーション記憶手段と、上記第一のアプリケーションを介して少なくとも地点情報を含めて情報取得要求をサーバ装置へ送信する情報取得要求送信手段と、サーバ装置から配信される案内情報を受信する案内情報受信手段と、前記案内情報受信手段が受信した前記案内情報をもとに、前記表示部へ案内情報画面を出力する出力手段と、前記出力手段が表示出力する案内情報画面上の選択項目の選択操作を受け付ける選択操作受付手段と、を備えた端末装置に接続され、端末装置からの情報取得要求に応じてサーバ装置から端末装置へ案内情報を配信し、端末装置の表示部へ出力するサーバ装置を構成するコンピュータのプログラムであって、
前記情報取得要求送信手段が送信する情報取得要求を受け付ける受付手段、
前記情報取得要求に含まれる前記地点情報を端末装置毎に端末アクセス情報として記憶する端末アクセス情報記憶手段、
前記端末アクセス情報に基づいて、第一のアプリケーションから第二のアプリケーションへ切り替えるための切替リンクであって、前記地点情報が埋め込まれた切替リンクの情報を生成する切替リンク情報生成手段、
前記情報取得要求に対応する情報に、前記切替リンク情報を付加した情報を案内情報として端末装置へ配信する配信手段、として前記コンピュータを機能させることを特徴とするプログラム。
【請求項９】
情報取得要求送信手段が送信する情報取得要求を受け付ける受付手段と、前記情報取得要求に含まれる前記地点情報を端末装置毎に端末アクセス情報として記憶する端末アクセス情報記憶手段と、前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、前記情報取得要求に対応する情報に、前記切替リンク情報を付加した情報を案内情報として端末装置へ配信する配信手段と、を備え、端末装置からの情報取得要求に応じてサーバ装置から端末装置へ案内情報を配信し、端末装置の表示部へ出力するサーバ装置に接続される端末装置を構成するコンピュータのプログラムであって、
第一のアプリケーション記憶手段、
第二のアプリケーション記憶手段、
上記第一のアプリケーションを介して少なくとも地点情報を含めて情報取得要求をサーバ装置へ送信する情報取得要求送信手段、
サーバ装置から配信される案内情報を受信する案内情報受信手段、
前記案内情報受信手段が受信した前記案内情報をもとに、前記表示部へ案内情報画面を出力する出力手段、
前記出力手段が表示出力する案内情報画面上の選択項目の選択操作を受け付ける選択操作受付手段、として前記コンピュータを機能させることを特徴とするプログラム。
【手続補正３】
【補正対象書類名】明細書
【補正対象項目名】０００１
【補正方法】変更
【補正の内容】
【０００１】
本発明は、移動手段と出発地から目的地などの経路探索条件に基づいて目的地までの最適経路を探索して案内するナビゲーションシステムなどの情報提供システムに関するものであり、特に、案内経路の移動途中で移動手段を変更したり、目的地周辺の駐車場など中間目的地の探索をしたりするなど、経路探索の条件が変化しても、１回の目的地入力をすれば当初目的地までの経路を再探索できるようにした情報提供システム、サーバ装置、端末装置および情報提供方法ならびにプログラムに関するものである。
【手続補正４】
【補正対象書類名】明細書
【補正対象項目名】００１７
【補正方法】変更
【補正の内容】
【００１７】
すなわち、本発明は前述の問題点を解消することを課題とし、案内経路の移動途中で移動手段を変更したり、目的地周辺の駐車場など中間目的地の探索をしたりするなど、経路探索の条件が変化しても、１回の目的地入力をすれば当初目的地までの経路を再探索できるようにした情報提供システム、サーバ装置、端末装置および情報提供方法ならびにプログラムを提供することを目的とするものである。
【手続補正５】
【補正対象書類名】明細書
【補正対象項目名】００１８
【補正方法】変更
【補正の内容】
【００１８】
前記課題を解決するために、本願の請求項１にかかる発明は、
端末装置からの情報取得要求に応じてサーバ装置から端末装置へ案内情報を配信し、端末装置の表示部へ出力する情報提供システムにおいて、
前記端末装置は、
第一のアプリケーション記憶手段と、
第二のアプリケーション記憶手段と、
上記第一のアプリケーションを介して少なくとも地点情報を含めて情報取得要求をサーバ装置へ送信する情報取得要求送信手段と、
サーバ装置から配信される案内情報を受信する案内情報受信手段と、
前記案内情報受信手段が受信した前記案内情報をもとに、前記表示部へ案内情報画面を出力する出力手段と、
前記出力手段が表示出力する案内情報画面上の選択項目の選択操作を受け付ける選択操作受付手段と、を備え、
前記サーバ装置は、
前記情報取得要求送信手段が送信する情報取得要求を受け付ける受付手段と、
前記情報取得要求に含まれる前記地点情報を端末装置毎に端末アクセス情報として記憶する端末アクセス情報記憶手段と、
前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、
前記情報取得要求に対応する情報に、前記切替リンク情報を付加した情報を案内情報として端末装置へ配信する配信手段と、を備えたことを特徴とする情報提供システム。
【手続補正６】
【補正対象書類名】明細書
【補正対象項目名】００１９
【補正方法】変更
【補正の内容】
【００１９】
本願の請求項２にかかる発明は、請求項１にかかる情報提供システムにおいて、
前記選択操作受付手段が前記案内情報画面上の切替リンクの選択操作を受け付けると、第一のアプリケーションから第二のアプリケーションへ切り替わると共に、前記出力手段は、第二のアプリケーションによる上記地点情報を用いた処理結果の画面を出力することを特徴とする。
【手続補正７】
【補正対象書類名】明細書
【補正対象項目名】００２０
【補正方法】変更
【補正の内容】
【００２０】
本願の請求項３にかかる発明は、請求項１または請求項２にかかる情報提供システムにおいて、
前記第一のアプリケーションと第二のアプリケーションとのうち少なくとも一つはナビゲーション用アプリケーションであることを特徴とする。
【手続補正８】
【補正対象書類名】明細書
【補正対象項目名】００２１
【補正方法】変更
【補正の内容】
【００２１】
本願の請求項４にかかる発明は、請求項３にかかる情報提供システムにおいて、
前記ナビゲーション用アプリケーションは、歩行者用ナビゲーションアプリケーションまたは自動車用ナビゲーションアプリケーションであることを特徴とする。
【手続補正９】
【補正対象書類名】明細書
【補正対象項目名】００２２
【補正方法】変更
【補正の内容】
【００２２】
また、本願の請求項５にかかる発明は、
第一のアプリケーション記憶手段と、第二のアプリケーション記憶手段と、上記第一のアプリケーションを介して少なくとも地点情報を含めて情報取得要求をサーバ装置へ送信する情報取得要求送信手段と、サーバ装置から配信される案内情報を受信する案内情報受信手段と、前記案内情報受信手段が受信した前記案内情報をもとに、前記表示部へ案内情報画面を出力する出力手段と、前記出力手段が表示出力する案内情報画面上の選択項目の選択操作を受け付ける選択操作受付手段と、を備えた端末装置に接続され、端末装置からの情報取得要求に応じてサーバ装置から端末装置へ案内情報を配信し、端末装置の表示部へ出力するサーバ装置であって、
前記サーバ装置は、
前記情報取得要求送信手段が送信する情報取得要求を受け付ける受付手段と、
前記情報取得要求に含まれる前記地点情報を端末装置毎に端末アクセス情報として記憶する端末アクセス情報記憶手段と、
前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、
前記情報取得要求に対応する情報に、前記切替リンク情報を付加した情報を案内情報として端末装置へ配信する配信手段と、を備えたことを特徴とする。
【手続補正１０】
【補正対象書類名】明細書
【補正対象項目名】００２３
【補正方法】変更
【補正の内容】
【００２３】
また、本願の請求項６にかかる発明は、
情報取得要求送信手段が送信する情報取得要求を受け付ける受付手段と、前記情報取得要求に含まれる前記地点情報を端末装置毎に端末アクセス情報として記憶する端末アクセス情報記憶手段と、前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、前記情報取得要求に対応する情報に、前記切替リンク情報を付加した情報を案内情報として端末装置へ配信する配信手段と、を備え、端末装置からの情報取得要求に応じてサーバ装置から端末装置へ案内情報を配信し、端末装置の表示部へ出力するサーバ装置に接続される端末装置であって、
前記端末装置は、
第一のアプリケーション記憶手段と、
第二のアプリケーション記憶手段と、
上記第一のアプリケーションを介して少なくとも地点情報を含めて情報取得要求をサーバ装置へ送信する情報取得要求送信手段と、
サーバ装置から配信される案内情報を受信する案内情報受信手段と、
前記案内情報受信手段が受信した前記案内情報をもとに、前記表示部へ案内情報画面を出力する出力手段と、
前記出力手段が表示出力する案内情報画面上の選択項目の選択操作を受け付ける選択操作受付手段と、を備えたことを特徴とする。
【手続補正１１】
【補正対象書類名】明細書
【補正対象項目名】００２４
【補正方法】変更
【補正の内容】
【００２４】
また、本願の請求項７にかかる発明は、
端末装置からの情報取得要求に応じてサーバ装置から端末装置へ案内情報を配信し、端末装置の表示部へ出力する情報提供システムにおける情報提供方法において、
前記端末装置は、
情報取得要求送信手段が上記第一のアプリケーションを介して少なくとも地点情報を含めて情報取得要求をサーバ装置へ送信する情報取得要求送信ステップと、案内情報受信手段がサーバ装置から配信される案内情報を受信する案内情報受信ステップと、出力手段が前記案内情報受信手段が受信した前記案内情報をもとに、前記表示部へ案内情報画面を出力する案内情報画面出力ステップと、選択操作受付手段が出力手段が表示出力する案内情報画面上の選択項目の選択操作を受け付ける選択操作受け付けステップと、を有し、
前記サーバ装置は、
受付手段が記情報取得要求送信手段が送信する情報取得要求を受け付ける情報取得要求受け付けステップと、端末アクセス情報記憶手段が前記情報取得要求に含まれる前記地点情報を端末装置毎に端末アクセス情報として記憶する端末アクセス情報記憶ステップと、切替リンク情報生成手段が前記端末アクセス情報に基づいて、第一のアプリケーションから第二のアプリケーションへ切り替えるための切替リンクであって、前記地点情報が埋め込まれた切替リンクの情報を生成する切替リンク情報生成ステップと、配信手段が前記情報取得要求に対応する情報に、前記切替リンク情報を付加した情報を案内情報として端末装置へ配信する案内情報配信ステップと、を有することを特徴とする。
【手続補正１２】
【補正対象書類名】明細書
【補正対象項目名】００２５
【補正方法】変更
【補正の内容】
【００２５】
また、本願の請求項８にかかる発明は、
第一のアプリケーション記憶手段と、第二のアプリケーション記憶手段と、上記第一のアプリケーションを介して少なくとも地点情報を含めて情報取得要求をサーバ装置へ送信する情報取得要求送信手段と、サーバ装置から配信される案内情報を受信する案内情報受信手段と、前記案内情報受信手段が受信した前記案内情報をもとに、前記表示部へ案内情報画面を出力する出力手段と、前記出力手段が表示出力する案内情報画面上の選択項目の選択操作を受け付ける選択操作受付手段と、を備えた端末装置に接続され、端末装置からの情報取得要求に応じてサーバ装置から端末装置へ案内情報を配信し、端末装置の表示部へ出力するサーバ装置を構成するコンピュータのプログラムであって、
前記情報取得要求送信手段が送信する情報取得要求を受け付ける受付手段、
前記情報取得要求に含まれる前記地点情報を端末装置毎に端末アクセス情報として記憶する端末アクセス情報記憶手段、
前記端末アクセス情報に基づいて、第一のアプリケーションから第二のアプリケーションへ切り替えるための切替リンクであって、前記地点情報が埋め込まれた切替リンクの情報を生成する切替リンク情報生成手段、
前記情報取得要求に対応する情報に、前記切替リンク情報を付加した情報を案内情報として端末装置へ配信する配信手段、として前記コンピュータを機能させることを特徴とする。
また、本願の請求項９にかかる発明は、
情報取得要求送信手段が送信する情報取得要求を受け付ける受付手段と、前記情報取得要求に含まれる前記地点情報を端末装置毎に端末アクセス情報として記憶する端末アクセス情報記憶手段と、前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、前記情報取得要求に対応する情報に、前記切替リンク情報を付加した情報を案内情報として端末装置へ配信する配信手段と、を備え、端末装置からの情報取得要求に応じてサーバ装置から端末装置へ案内情報を配信し、端末装置の表示部へ出力するサーバ装置に接続される端末装置を構成するコンピュータのプログラムであって、
第一のアプリケーション記憶手段、
第二のアプリケーション記憶手段、
上記第一のアプリケーションを介して少なくとも地点情報を含めて情報取得要求をサーバ装置へ送信する情報取得要求送信手段、
サーバ装置から配信される案内情報を受信する案内情報受信手段、
前記案内情報受信手段が受信した前記案内情報をもとに、前記表示部へ案内情報画面を出力する出力手段、
前記出力手段が表示出力する案内情報画面上の選択項目の選択操作を受け付ける選択操作受付手段、として前記コンピュータを機能させることを特徴とする。
【手続補正１３】
【補正対象書類名】明細書
【補正対象項目名】００２６
【補正方法】変更
【補正の内容】
【００２６】
請求項１にかかる発明においては、
端末装置からの情報取得要求に応じてサーバ装置から端末装置へ案内情報を配信し、端末装置の表示部へ出力する情報提供システムにおいて、
前記端末装置は、
第一のアプリケーション記憶手段と、
第二のアプリケーション記憶手段と、
上記第一のアプリケーションを介して少なくとも地点情報を含めて情報取得要求をサーバ装置へ送信する情報取得要求送信手段と、
サーバ装置から配信される案内情報を受信する案内情報受信手段と、
前記案内情報受信手段が受信した前記案内情報をもとに、前記表示部へ案内情報画面を出力する出力手段と、
前記出力手段が表示出力する案内情報画面上の選択項目の選択操作を受け付ける選択操作受付手段と、を備え、
前記サーバ装置は、
前記情報取得要求送信手段が送信する情報取得要求を受け付ける受付手段と、
前記情報取得要求に含まれる前記地点情報を端末装置毎に端末アクセス情報として記憶する端末アクセス情報記憶手段と、
前記端末アクセス情報に基づいて、第一のアプリケーションから第二のアプリケーションへ切り替えるための切替リンクであって、前記地点情報が埋め込まれた切替リンクの情報を生成する切替リンク情報生成手段と、
前記情報取得要求に対応する情報に、前記切替リンク情報を付加した情報を案内情報として端末装置へ配信する配信手段と、を備えた。
また、請求項２にかかる発明においては、請求項１にかかる発明において、前記選択操作受付手段が前記案内情報画面上の切替リンクの選択操作を受け付けると、第一のアプリケーションから第二のアプリケーションへ切り替わると共に、前記出力手段は、第二のアプリケーションによる上記地点情報を用いた処理結果の画面を出力する。
【手続補正１４】
【補正対象書類名】明細書
【補正対象項目名】００２７
【補正方法】変更
【補正の内容】
【００２７】
このような構成によれば、利用者は端末装置から目的地などの地点情報を１回入力するだけで、アプリケーションを切り替えるための、前記地点情報埋め込まれた切替えリンク情報が作成され、切替えリンクが付加された案内情報をサーバ装置から取得することができるから、自動車により目的地（第１目的地）まで移動する途中で第１目的地周辺の駐車場を第２目的地とした探索を行い、第２目的地から第１目的地に徒歩移動する場合のように、案内経路の移動途中で移動手段を変更したり、目的地周辺の駐車場など中間目的地の探索をしたりすることができ、その結果をサーバ装置から取得することができるようになり、利便性を向上することができるようになる。
【手続補正１５】
【補正対象書類名】明細書
【補正対象項目名】００２８
【補正方法】変更
【補正の内容】
【００２８】
また、請求項３にかかる発明においては、請求項１または請求項２にかかる発明において、前記第一のアプリケーションと第二のアプリケーションとのうち少なくとも一つはナビゲーション用アプリケーションである。また、請求項４にかかる発明においては、請求項３にかかる発明において、前記ナビゲーション用アプリケーションは、歩行者用ナビゲーションアプリケーションまたは自動車用ナビゲーションアプリケーションである。
【手続補正１６】
【補正対象書類名】明細書
【補正対象項目名】００２９
【補正方法】変更
【補正の内容】
【００２９】
このような構成によれば、利用者は自動車により目的地（第１目的地）まで移動する途中で第１目的地周辺の駐車場を第２目的地とした探索を行い、第２目的地から第１目的地に徒歩移動する場合のように、案内経路の移動途中で移動手段を変更したり、目的地周辺の駐車場など中間目的地の探索をしたりすることができるようになる。また、利用者は、徒歩移動によるナビゲーションサービスを受ける他、自動車の助手席に同乗して自動車による移動のナビゲーションサービスを受けることができるようになる。そして、ナビゲーションシアプリケーションを切り替えることによって、移動手段を変更したり、第１の目的地周辺の第２の目的地への経路案内を要求したりすることができるようになる。その結果、目的地の入力なしに、第１の目的地までの経路の再探索を継続することができるようになる。
【手続補正１７】
【補正対象書類名】明細書
【補正対象項目名】００３０
【補正方法】変更
【補正の内容】
【００３０】
また、請求項５、請求項６にかかる発明においては、それぞれ、請求項１にかかる情報提供システムを構成するサーバ装置、端末装置を提供することができるようになり、請求項７にかかる発明においては請求項１にかかる情報提供システムにおける情報提供方法を提供することができるようになる。また、請求項８にかかる発明においては請求項５にかかるサーバ装置を構成するコンピュータのプログラムを提供することができ、請求項９にかかる発明においては請求項６にかかる端末装置を構成するコンピュータのプログラムを提供することができるようになる。